(57)【要約】【課題】  長時間の乗車、又は長時間の会議、会合、総会菱において、身体健全な男性にても尿意のため苦痛する人は多い、頻尿者は特に尿意のため活動が制限される。【解決手段】  従来の使い捨て紙おむつは病人用と失禁用である、このおむつを身体の肌に接触させない方式に改め、且つ尿受け容量を増加させ健康な男性が使用できる形態のものを作成する【選択図】図１
2007275519.tif 000002
【特許請求の範囲】
【請求項１】
男性用パンツの前面部に隠茎取出孔を設け、該隠茎取出孔より股下に至る部位の外側に尿袋を挿入するための尿袋保持部を設け、該尿袋保持部内に尿袋を挿入してなることを特徴とする男性用採尿装置。
【請求項２】
請求項１記載の男性用採尿装置において、尿袋保持部を伸縮性にしてなることを特徴とする男性用採尿装置。
【請求項３】
請求項１記載の男性用採尿装置において、パンツに芳香性剤を付与したることを特徴とする男性用採尿装置。
【請求項４】
請求項１記載の男性用採尿装置において、尿袋の上端を開閉自在にしてなることを特徴とする男性用採尿装置。
【請求項５】
請求項１記載の男性用採尿装置において、尿袋の上部前面を伸縮加工したることを特徴とする男性用採尿装置。
【発明の詳細な説明】
【技術分野】
【０００１】  本発明は、男性の身体に装着して排尿を収納するものであるが、特に身体健全な男性の日常活動時に装着して使用可能な採尿装置に関するものである。
【背景技術】
【０００２】  人間の排尿を吸収して処理するものとして、木綿布製の、おむつなるものが古い時代より使用されていたが、このものは何度も再使用するものなるため洗濯、乾燥の手数を要し且つ不衛生なるため現今は殆ど使用されなくなった。
近年に至り高分子吸水紙が開発され、このものにて作られた使い捨て紙おむつなるものが現今主流として使用されている、しかし現今市場にて販売されている紙おむつは、幼児用と病人用、失禁用、に限定されており、身体健全な男性用のものは、全く製造されていない。
他の採尿方法として、病院では患者の尿道より膀胱までチューブを挿入して、尿を自然流下させ容器に入れる方式を採用している。
上記以外の方法として、しびんと称する容器に排尿する方法が古い時代より、現今も使用されている、このものは頻尿者の夜間排尿用として好適なものである。【０００３】
【特許文献】  特開平７−１９４６３７
【発明の開示】
【発明が解決しようとする課題】
【０００４】  自動車に乗車中にて交通渋滞に遭遇すると、尿意の処置に困惑する、バス、、タクシーの運転手は特に尿意を我慢する事が多く、その事が蓄積して膀胱炎になる人が多く職業病になっている。
長時間の会議、会合、講義等においても尿意の処置に困惑する人は多い、又頻尿者は、尿意の事で日常の行動が大きく制限される。
現今の市場に販売されている使い捨て紙おむつは、病人用、失禁用であって、身体健全な男性が日常の活動中において使用できるものでない。
上記のように尿意問題にて困惑して居る人は多く、その解決が待望されている。
【課題を解決するための手段】
【０００５】  本発明は上記問題点を解決するためになされたものである、現今流通している使い捨て紙おむつは、幼児用、病人用、失禁用のものであって、身体健全な男性が日常の活動中に、身体に装着して使用できる仕様になっていない、病人用の紙おむつは使用感が悪く装着して活動はできる形態にできていない。
失禁用は受尿容量が少量なため、健全な男性の排尿を収納できない、そこで受け容量のなる尿袋を作成する、この尿袋は容積が大きいためパンツ内に収容できないため、パンツ外の股間に挿入する方式にする。
現今の紙おむつは全て人体の肌に接触する方式である、このため排尿すると、尿がゲル化したとしても、それは液体が流動性を無くした程度であって肌に与える不快感は同じであり、尿が肌に付着する不快感、不衛生は改善されず、健康な男性は容認しない。
紙おむつが人体の肌に直接に接触しない方式にすれば不快感は解消できるのである、そのため本発明は紙おむつをパンツの外に設ける方式にして不快感、不衛生を解消する。【０００６】  高分子吸水紙にて作られた尿袋は、上端が開口した封筒状になされており、上端より僅か下に隠茎を入れるための挿入孔を設ける、この挿入孔に隠茎が挿入され排尿すると、尿は尿袋内に収納されることになる。
尿袋の上部内に隠茎が挿入されているが、尿袋上部の隠茎挿入孔の無い側は伸縮性に加工して、隠茎を尿袋の外に取り出す事を可能にする、このようにすれば本発明装置を装着していても一般トイレにて排尿する事が容易にでき便利であり、又排尿しない時は隠茎をなるべく尿袋の外に出すのが壮快であり好ましい。
尿袋に尿が収納されると、尿の悪臭が発散する、この悪臭を軽減せしめるため、パンツに芳香性の物質を含入させる事も好適である。
尿袋を保持するためにパンツの外側に尿袋保持部が設けられるが、この尿袋保持部を形成するためにパンツ外側に付加する素材は伸縮性のある材質を使用し、又は伸縮性加工したものを使用する、このことにより尿袋が尿を収納することにより膨脹しても、その変化に対処できるようなされる。
【発明の効果】
【０００７】  本発明は次の効果を奏する、従来の使い捨て紙おむつは、病人用と失禁用であって、身体健全な男性が日常生活において使用できる仕様になされていない、本発明はこの問題点を解決した健康者用男性おむつである。
本発明は現今多用されている使い捨て紙おむつと同一素材にて作られた尿袋を使用しているが、その尿袋を使用者の肌に直接接触させない方式になされているため装着感が良く快適に使用できる。
装着した状態にても、一般トイレにて通常の排尿ができ便利である、頻尿者も本発明装置により安心して行動ができ、日常活動が拡大できる。
バス、タクシー運転手の尿意我慢による膀胱炎の職業病も、本発明により解消される。
【発明を実施するための最良の形態】
【０００８】  男性用パンツの前面部より股下に至る部位の外側に尿袋保持部を設け、この中に挿入する尿袋として、上部を開いた封筒状の尿袋を作成し、上端より僅か下位置に隠茎挿入孔を設け、この隠茎挿入孔の前面側を伸縮性に加工する。
尿袋保持部を形成するためパンツの外側に付加する素材は、伸縮性のあるものを使用する、尿袋の素材としては高分子吸水紙にて作成する。
【実施例】
【０００９】  以下本発明を図面に基づき詳細に説明する、図１は本発明の男性用採尿装置のパンツ１の正面図である、、このパンツ１は従来のパンツと形状は似ているが、前面部が従来の男性用パンツと相違しており、女性用パンツと同一の形状になっている。
男性が、このパンツ１を着用した場合に、隠茎を外に取り出すために、隠茎取出孔２が前面は設けられている、この隠茎取出孔２の直径は小寸に作り、孔の周囲を柔軟性に加工することにより隠茎の径寸法差に対処させる。
本発明の男性用採尿装置は、パンツ１の前面の外側に尿を入れる袋を取り付ける方式である、その取り付け方法として、パンツ１の前面より股下に至る部分を袋状に作り、この中に尿を入れる袋を納める、３はその尿袋保持部である。【００１０】  図２は本発明の男性用採尿装置のパンツ１の側面断面図であって、尿袋保持部３の構造を示したものてある、この袋状になった中に尿を入れる袋が挿入される。
尿を入れる袋は、尿が入ると大きく膨脹するため、尿袋保持部３は、その膨脹に順応するように伸縮性のある素材、又は伸縮加工されたものがパンツ１に縫い付けられる。【００１１】  図３は本発明の男性用採尿装置の尿袋４の背面斜視図である、この尿袋４は高分子吸水紙にて作られた従来の使い捨て紙おむつと同じ素材にて作られたものであって、上部は開口され封筒形状のものである。
この尿袋４の背面の上部には隠茎挿入孔５が設けられており、この隠茎挿入孔５に使用者の隠茎が挿入される。
この尿袋４の形状は、限定されたものでなく、図３は一例を示したものであり、どのような形状にても機能が可能であれば変更して良いことは勿論である。【００１２】  図４は本発明の男性用採尿装置の尿袋４の正面斜視図である、この尿袋４の正面側の上部は収縮性加工部６であって、指先にて下に引き下げると内部の隠茎を外に取り出すことができる。
この尿袋４の受尿容量は、身体健全な男性の一回の排尿量を収納する容積のものにするのが適当だろう、排尿後の尿袋４は廃棄処分する。【００１３】  図５は本発明の男性用採尿装置の尿袋４の中に隠茎７が挿入された場合を示す側面断面図であって、この状態にて排尿する。
従来の使い捨て紙おむつは、紙おむつそのものが、身体に接していたため、排尿前にても装着感が不快であり、排尿後の尿はゲル化するとしても、尿が肌に付着した状態であるため極めて不衛生であり、不快であった、本発明は尿袋４に接触しているのは隠茎７のみであるため不快感は大きく軽減される。【００１４】  図６は本発明の男性用採尿装置の尿袋４の中の隠茎７を尿袋４の前外に取り出した状態の側面断面図である。
本発明の採尿装置を身体に装着していても、排尿しない時間帯の場合はなるべく隠茎７を尿袋４の前外に取り出す、そうすればトイレにて通常の排尿ができ、又隠茎７が解放されるため壮快になる。
尿袋４の中に尿が収納されると、尿の悪臭が発散するため、これを防止し、又は軽減させるため尿袋４の上端の内側に接着力の弱い接着剤を塗布して、上端を開閉自在にする。
尿袋４は外側全体が防水性素材にて包覆されているため、上端の開口部を閉鎖すると、密閉状態に近くなり尿臭は大幅に軽減されるが、更にパンツ１に芳香性剤を付与させれば尿臭は殆ど解消できる。
【産業上の利用の可能性】
【００１５】  身体健全な男性が使用するおむつの需要数は大なるものであるが、それに応える供給が全くなされておらない、そのため本発明の採尿装置の実施が強く待望されている。
【図面の簡単な説明】
【００１６】
【図１】本発明の男性用採尿装置のパンツ１の正面図である。
【図２】本発明の男性用採尿装置のパンツ１の側面断面図である。
【図３】本発明の男性用採尿装置の尿袋４の背面斜視図である。
【図４】本発明の男性用採尿装置の尿袋４の正面斜視図である。
【図５】本発明の男性用採尿装置の尿袋４の中に隠茎７が挿入された場合を示す側面断面図である。
【図６】本発明の男性用採尿装置の尿袋４の中の隠茎７を尿袋４の前外に取り出した状態の側面断面図である。
【符号の説明】
【００１７】１  パンツ
２  隠茎取出孔
３  尿袋保持部
４  尿袋
５  隠茎挿入孔
６  収縮性加工部
７  隠茎
【図１】
2007275519.tif 000003
【図２】
2007275519.tif 000004
【図３】
2007275519.tif 000005
【図４】
2007275519.tif 000006
【図５】
2007275519.tif 000007
【図６】
2007275519.tif 000008